(57)【特許請求の範囲】
【請求項１】
１次電源と２次電源と第１制御スイッチと第２制御スイッチと制御回路モジュールと、を備え、
前記１次電源の入力端子は、前記第１制御スイッチを介して外部電源に対して電気的に接続され、かつ、前記１次電源の出力端子は、外部負荷に電力供給するために前記外部負荷に対して電気的に接続され、
前記２次電源の入力端子は、前記外部電源に対して直接かつ電気的に接続され、かつ、前記２次電源の出力端子は、前記制御回路モジュールに対して電気的に接続され、
前記制御回路モジュールは、ＭＣＵモジュールと信号受信回路とを備え、
前記ＭＣＵモジュールは、第１ＭＣＵ及び第２ＭＣＵを含み、前記第１ＭＣＵは、前記第２制御スイッチ及び前記２次電源に対して逐次直列接続され、前記第２ＭＣＵは、前記２次電源に対して電気的に接続され、前記第１ＭＣＵ及び前記第２ＭＣＵの双方が前記２次電源によって電力供給され、
前記第１ＭＣＵは、前記第１制御スイッチのオンとオフとを制御し、かつ、前記第２ＭＣＵは、前記第２制御スイッチのオンとオフとを制御し、
低消費電力待機回路デバイス本体を含むエアーコンディショナーが待機モードに移行した後に、前記第１ＭＣＵが第1制御スイッチをオフに制御して１次電源と外部電源との間
の電気的接続を遮断してから、前記第２ＭＣＵが第２制御スイッチをオフに制御して第１ＭＣＵと第２ＭＣＵとの間の電気的接続を切断し、その後に、前記ＭＣＵを低消費電力モードに移行する低消費電力待機回路デバイス。
【請求項２】
さらに、電圧安定化モジュールを備え、
前記２次電源の前記出力端子は、前記電圧安定化モジュールに対して直列に電気的に接続され、かつ、前記第１ＭＣＵ及び前記第２ＭＣＵに順次電気的に接続される、請求項１に記載の低消費電力待機回路デバイス。
【請求項３】
前記１次電源は、多重出力を有し、かつ、
前記２次電源は、単一出力又は多重出力を有する、請求項１に記載の低消費電力待機回路デバイス。
【請求項４】
さらに、前記制御回路モジュールは、リセット回路と表示モジュールとを備え、かつ、
前記リセット回路及び前記表示モジュールは、それぞれ前記２次電源の前記出力端子に対して電気的に接続される、請求項１から３のいずれか１項に記載の低消費電力待機回路デバイス。
【請求項５】
請求項１、２又は３に記載の低消費電力待機回路デバイスを含み、
前記低消費電力待機回路デバイスは、前記エアーコンディショナーの前記室内機及び前記室外機に電力を供給するための外部電源に対して電気的に接続され、
第３制御スイッチは、前記室外機と前記室内機との間の電源接続を接続し又は切断するために前記室外機と前記室内機との間に電気的に接続され、かつ、前記ＭＣＵモジュールは、前記第３制御スイッチのオンとオフとを制御するために前記第３制御スイッチに対して結合される、エアーコンディショナー。
【請求項６】
エアーコンディショナーは、室内機及び室外機を備え、
前記エアーコンディショナーは、請求項１に記載の低消費電力待機回路デバイスを含み、
前記低消費電力待機回路デバイスは、前記エアーコンディショナーの前記室内機及び前記室外機に電力を供給するために外部電源に対して電気的に接続され、  第３制御スイッチは、前記室外機と前記室内機との間の電源接続を接続し又は切断するために前記室外機と前記室内機との間に電気的に接続され、かつ、前記第１ＭＣＵは、前記第３制御スイッチのオンとオフとを制御するために前記第３制御スイッチに電気的に接続される、エアーコンディショナー。
【請求項７】
起動プロセスを備え、
前記起動プロセスは、
前記エアーコンディショナー内の前記低消費電力待機回路デバイスの前記制御回路モジュールの前記ＭＣＵモジュールが起動信号を受信し又は再通電される場合、前記ＭＣＵモジュールは、まず、前記第１制御スイッチがオンとなるように制御するステップと、それから、前記エアーコンディショナーの前記第３制御スイッチがオンとなるように制御するステップと、前記低消費電力待機回路デバイスの前記１次電源と前記室外機及び前記室内機の負荷回路とを通電させて前記エアーコンディショナーを通常の運転状態に移行するステップと、を備える請求項６に記載のエアーコンディショナーの制御方法。
【請求項８】
待機プロセスを備え、前記待機プロセスは、
エアーコンディショナーが待機モードに移行する場合、前記室内機と室外機との間の電気的接続を切断し、かつ、前記１次電源と前記外部電源との間の電気的接続を切断するために、前記ＭＣＵモジュールは、まず、前記第３制御スイッチがオフとなるように制御するステップと、それから、前記第１制御スイッチがオフとなるように制御するステップと、前記ＭＣＵモジュールを低消費電力モードに移行するステップと、を備える請求項５に記載のエアーコンディショナーの制御方法。
【請求項９】
前記待機プロセスは、
前記ＭＣＵモジュールが遮断信号を受信する場合、前記ＭＣＵモジュールは、まず、前記室外機のスイッチをオフにするために前記第３制御スイッチがオフとなるように制御するステップと、それから、前記１次電源のスイッチをオフにするために前記第１制御スイッチがオフとなるように制御するステップと、
前記第１制御スイッチがスイッチオフされた後、第１の予め設定された時間内に、前記ＭＣＵモジュールが動作信号を受信していたか否かを判定するステップと、受信していた場合に前記ＭＣＵモジュールが前記低消費電力モードに移行することを禁止するステップと、受信していなかった場合に前記ＭＣＵモジュールを低消費電力モードに移行するステ
ップと、を備える請求項８に記載のエアーコンディショナーの制御方法。
【請求項１０】
起動プロセスを備え、
前記起動プロセスは、
前記エアーコンディショナー内の前記低消費電力待機回路デバイスの前記制御回路モジュールの前記第２ＭＣＵモジュールが起動信号を受信し又は再通電される場合、前記第２ＭＣＵモジュールは、前記低消費電力待機回路デバイスの前記第２制御スイッチがオンとなるように制御するステップと、前記低消費電力待機回路デバイスの前記第１ＭＣＵが通電するように制御するステップと、
前記第１ＭＣＵは、まず、前記第１制御スイッチがオンとなるように制御し、それから、前記エアーコンディショナーの前記第３制御スイッチがオンとなるように制御するステップと、前記１次電源と前記室外機及び前記室内機の負荷回路とを通電させて前記エアーコンディショナーを通常の運転状態に移行するステップと、を備える請求項６に記載のエアーコンディショナーの制御方法。
【請求項１１】
待機プロセスを備え、かつ、前記待機プロセスは、
前記エアーコンディショナーが待機モードに移行した後、前記室内機と前記室外機との間の電気的接続を切断し、かつ、前記１次電源と前記外部電源との間の電気的接続を切断するために、前記第１ＭＣＵは、まず、前記第３制御スイッチがオフとなるように制御するステップと、それから、前記第１制御スイッチがオフとなるように制御するステップと、
前記第２ＭＣＵは、前記第２制御スイッチがオフとなるように制御し、かつ、前記第１ＭＣＵと前記第２ＭＣＵとの間の電気的接続を切断し、かつ、前記ＭＣＵが低消費電力モードに移行するステップと、を備える請求項６に記載のエアーコンディショナーの制御方法。
【請求項１２】
前記待機プロセスは、
前記第１ＭＣＵモジュールが前記第２ＭＣＵから送信される遮断信号を受信し、かつ、第２の予め設定された時間内に前記第２ＭＣＵからの任意の更なる信号を受信していなかった場合、前記第１ＭＣＵは、まず、前記室外機への通電を停止するために、前記第３制御スイッチがオフとなるように制御するステップと、それから、前記第１ＭＣＵは、前記１次電源への通電を停止するために、前記第１制御スイッチがオフとなるように制御するステップと、
前記第１制御スイッチがスイッチオフされた後、前記第３の予め設定された時間内に、前記第２ＭＣＵが動作信号を受信していたか否かを判定するステップと、受信していた場合に前記ＭＣＵが前記低消費電力モードに移行することを禁止するステップと、受信していなかった場合に、前記第２ＭＣＵは、前記第２制御スイッチがオフとなるように制御し、前記第２ＭＣＵは前記低消費電力モードに移行するステップと、を備える請求項１１に記載のエアーコンディショナーの制御方法。
【発明の詳細な説明】
【技術分野】
【０００１】
関連出願の相互参照
この出願は、その内容全体を参照によって本願明細書に組み込まれたものとする、「低消費電力待機回路デバイス、エアーコンディショナー及びエアーコンディショナーの制御方法」という名称の、２０１３年５月２日に出願された、中国特許出願番号２０１３１０１５８６６５．０号の優先権の利益を主張する。
【０００２】
本開示は、電気及び冷却の分野に関し、特に、低消費電力待機回路デバイス、エアーコンディショナー及びエアーコンディショナーの制御方法に関する。
【背景技術】
【０００３】
家電装置の現行の制御部は、通常、１モードの電源によって行われている。例えば、たとえエアーコンディショナーの制御部が待機状態であっても、旋回モータの回路、室内機の表示パネル、メインボード、及び、表示パネルのメインチップは、すべて電源オンである。待機状態でのエアーコンディショナーの消費電力は、３ワット以上あるので、電気エネルギーを浪費するだけでなく、潜在的な安全性の問題が増大する。
【発明の開示】
【発明が解決しようとする課題】
【０００４】
先行技術に存在する欠点を克服するために、本開示は、合理的な電源供給配分を通じて、エアーコンディショナーが待機状態にある場合に低消費電力を実現する、低消費電力待機回路デバイス、エアーコンディショナー及びエアーコンディショナーの制御方法を提供する。
【課題を解決するための手段】
【０００５】
本開示の技術的な解決手段は、以下のとおりであり、低消費電力待機回路デバイスは、１次電源と２次電源と第１制御スイッチと制御回路モジュールと、を備え、
前記１次電源の入力端子は、前記第１制御スイッチを介して外部電源に対して電気的に接続され、かつ、前記１次電源の出力端子は、外部負荷に電力供給するために前記外部負荷に対して電気的に接続され、
前記２次電源の入力端子は、前記外部電源に対して直接かつ電気的に接続され、かつ、前記２次電源の出力端子は、前記制御回路モジュールに対して電気的に接続され、
前記制御回路モジュールは、ＭＣＵモジュールと信号受信回路とを備え、かつ、前記ＭＣＵモジュールは、前記第１制御スイッチのオンとオフとを制御する。
【０００６】
さらに、低消費電力待機回路デバイスは、第２制御スイッチを備え、
前記ＭＣＵモジュールは、第１ＭＣＵ及び第２ＭＣＵを含み、前記第１ＭＣＵは、前記第２制御スイッチ及び前記２次電源に対して逐次直列接続され、前記第２ＭＣＵは、前記２次電源に対して電気的に接続され、前記第１ＭＣＵ及び前記第２ＭＣＵの双方が前記２次電源によって電力供給され、
前記第１ＭＣＵは、前記第１制御スイッチのオンとオフとを制御し、かつ、前記第２ＭＣＵは、前記第２制御スイッチのオンとオフとを制御する。
【０００７】
さらに、低消費電力待機回路デバイスは、電圧安定化モジュールを備え、
前記２次電源の前記出力端子は、前記電圧安定化モジュールに対して直列に電気的に接続され、かつ、前記第１ＭＣＵ及び前記第２ＭＣＵに順次電気的に接続される。
【０００８】
さらに、前記１次電源は、多重出力を有し、かつ、
前記２次電源は、単一出力又は多重出力を有する。
【０００９】
さらに、前記制御回路モジュールは、リセット回路及び表示モジュールを備え、かつ、
前記リセット回路及び前記表示モジュールは、それぞれ前記２次電源の前記出力端子に対して電気的に接続される。
【００１０】
エアーコンディショナーは、室内機及び室外機を備え、
前記エアーコンディショナーは、上記の低消費電力待機回路デバイスを含み、
前記低消費電力待機回路デバイスは、前記エアーコンディショナーの前記室内機及び前記室外機に電力を供給するための外部電源に対して電気的に接続され、
第３制御スイッチは、前記室外機と前記室内機との間の電源接続を接続し又は切断するために前記室外機と前記室内機との間に電気的に接続され、かつ、前記ＭＣＵモジュールは、前記第３制御スイッチのオンとオフとを制御するために前記第３制御スイッチに対して結合される。
【００１１】
エアーコンディショナーは、室内機及び室外機を備え、
前記エアーコンディショナーは、上記の低消費電力待機回路デバイスを含み、
前記低消費電力待機回路デバイスは、前記エアーコンディショナーの前記室内機及び前記室外機に電力を供給するための外部電源に対して電気的に接続され、
第３制御スイッチは、前記室外機と前記室内機との間の電源接続を接続し又は切断するために前記室外機と前記室内機との間に電気的に接続され、かつ、前記第１ＭＣＵは、前記第３制御スイッチのオンとオフとを制御するために前記第３制御スイッチに電気的に接続される。
【００１２】
エアーコンディショナーの制御方法は、起動プロセスを備え、かつ、前記起動プロセスは、
前記エアーコンディショナー内の前記低消費電力待機回路デバイスの前記制御回路モジュールの前記ＭＣＵモジュールが起動信号を受信し又は再通電される場合、前記ＭＣＵモジュールは、まず、前記第１制御スイッチがオンとなるように制御するステップと、それから、前記エアーコンディショナーの前記第３制御スイッチがオンとなるように制御するステップと、前記低消費電力待機回路デバイスの前記１次電源と前記室外機及び前記室内機の負荷回路とを通電させて前記エアーコンディショナーを通常の運転状態に移行するステップと、を備える。
【００１３】
エアーコンディショナーの制御方法は、待機プロセスを備え、かつ、前記待機プロセスは、
エアーコンディショナーが待機モードに移行する場合、前記室内機と室外機との間の電気的接続を切断し、かつ、前記１次電源と前記外部電源との間の電気的接続を切断するために、前記ＭＣＵモジュールは、まず、前記第３制御スイッチがオフとなるように制御するステップと、それから、前記第１制御スイッチがオフとなるように制御するステップと、前記ＭＣＵモジュールを低消費電力モードに移行するステップと、を備える。
【００１４】
さらに、前記待機プロセスは、
前記ＭＣＵモジュールが遮断信号を受信する場合、前記ＭＣＵモジュールは、まず、前記室外機のスイッチをオフにするために前記第３制御スイッチがオフとなるように制御するステップと、それから、前記１次電源のスイッチをオフにするために前記第１制御スイッチがオフとなるように制御するステップと、
前記第１制御スイッチがスイッチオフされた後、第１の予め設定された時間内に、前記ＭＣＵモジュールが動作信号を受信していたか否かを判定するステップと、受信していた場合に前記ＭＣＵモジュールが前記低消費電力モードに移行することを禁止するステップと、受信していなかった場合に前記ＭＣＵモジュールを低消費電力モードに移行するステップと、を備える。
【００１５】
エアーコンディショナーの制御方法は、起動プロセスを備え、かつ、前記起動プロセスは、
前記エアーコンディショナー内の前記低消費電力待機回路デバイスの前記制御回路モジュールの前記第２ＭＣＵモジュールが起動信号を受信し又は再通電される場合、前記第２ＭＣＵモジュールは、前記低消費電力待機回路デバイスの前記第２制御スイッチがオンとなるように制御するステップと、前記低消費電力待機回路デバイスの前記第１ＭＣＵが通電するように制御するステップと、
前記第１ＭＣＵは、まず、前記第１制御スイッチがオンとなるように制御し、それから、前記エアーコンディショナーの前記第３制御スイッチがオンとなるように制御するステップと、前記１次電源と前記室外機及び前記室内機の負荷回路とを通電させて前記エアーコンディショナーを通常の運転状態に移行するステップと、を備える。
【００１６】
制御方法は、待機プロセスを備え、かつ、前記待機プロセスは、
前記エアーコンディショナーが待機モードに移行した後、前記室内機と前記室外機との間の電気的接続を切断し、かつ、前記１次電源と前記外部電源との間の電気的接続を切断するために、前記第１ＭＣＵは、まず、前記第３制御スイッチがオフとなるように制御するステップと、それから、前記第１制御スイッチがオフとなるように制御するステップと、
前記第２ＭＣＵは、前記第２制御スイッチがオフとなるように制御し、前記第１ＭＣＵと前記第２ＭＣＵとの間の電気的接続を切断させて前記ＭＣＵを低消費電力モードに移行するステップと、を備える。
【００１７】
さらに、待機プロセスは、
前記第１ＭＣＵモジュールが前記第２ＭＣＵから送信される遮断信号を受信し、かつ、第２の予め設定された時間内に前記第２ＭＣＵからの任意の更なる信号を受信していなかった場合、前記第１ＭＣＵは、まず、前記室外機への通電を停止するために、前記第３制御スイッチがオフとなるように制御するステップと、それから、前記第１ＭＣＵは、前記１次電源への通電を停止するために、前記第１制御スイッチがオフとなるように制御するステップと、
前記第１制御スイッチがスイッチオフされた後、前記第３の予め設定された時間内に、前記第２ＭＣＵが動作信号を受信していたか否かを判定するステップと、受信していた場合に前記ＭＣＵが前記低消費電力モードに移行することを禁止するステップと、受信していなかった場合に、前記第２ＭＣＵは、前記第２制御スイッチがオフとなるように制御し、前記第２ＭＣＵは前記低消費電力モードに移行するステップと、を備える。
【発明の効果】
【００１８】
本開示の効果は、以下のとおりである。
【００１９】
本開示の低消費電力待機回路デバイス、エアーコンディショナー及びエアーコンディショナーの制御方法によれば、エアーコンディショナーには、２つのスイッチング電源モードによって電力供給される低消費電力待機回路デバイスが設けられている。本開示のエアーコンディショナーの制御方法によれば、エアーコンディショナーが待機中の場合、室外機の外部電源と１次電源とがスイッチオフされ、さらに、２つのＭＣＵが適用される場合、メインボード上の電源ＶＣＣもスイッチオフされ、メインボードは通電されず、かつ、表示パネルのメインチップ及び信号受信回路のみが、２次電源により電力供給される。１つのチップがメインボード上の負荷と表示パネル上の負荷との両方を制御する方式と比較して、２つのメインチップが設けられ、２つのメインチップが、それぞれ、メインボード上の負荷と表示パネル上の負荷とを制御する方式の場合、チップの通信インタフェースを低減させ、表示パネルとメインボードとの間に接続されていて、負荷を制御するために用いられる接続配線を省略させ、それによって、製造コストを低減させ、かつ、生産効率を高められる。エアーコンディショナーが待機中の場合、表示パネルのメインチップは、低消費電力モードに移行する、すなわち、待機信号が受信される場合、表示パネルのメインチップの周波数は減少する。本開示の制御方法は、合理的な電源分配を通じて、ほぼゼロワット（すなわち、５０ミリワット未満）の待機を達成することができ、それは、待機中のエアーコンディショナーの消費電力を低減するだけでなく、メインチップの耐干渉能力も向上させる。
【図面の簡単な説明】
【００２０】
【図１】本発明の一実施形態に従うエアーコンディショナーの回路の模式的な回路接続図である。
【図２】図１に示される回路の待機プロセスを例示する制御フローチャートである。
【図３】図１に示される回路の起動プロセスを例示する制御フローチャートである。
【発明を実施するための形態】
【００２１】
本開示の対象、技術的な解決策、及び、利点を明確にするために、本開示の低消費電力待機回路デバイス、エアーコンディショナー及びエアーコンディショナー制御方法は、付随の図面と実施形態とを参照してより詳細に説明される。下記の好ましい実施形態は、本発明の例示のためにのみ記載されており、本発明を限定するものではないと理解されるべきである。
【００２２】
図１に示すように、本開示のエアーコンディショナーは、室内機及び室外機を含む。第３の制御スイッチは、室外機と室内機との間の電源接続を接続し又は切断するために、室外機と室内機との間に電気的に接続されている。エアーコンディショナーには、さらに、低消費電力待機回路デバイスが設けられている。
【００２３】
低消費電力待機回路デバイスは、１次電源１３と、２次電源１１と、第１制御スイッチ１２と、制御回路モジュールとを含む。
【００２４】
１次電源１３の入力端子は、第１制御スイッチ１２を介して外部電源に対して電気的に接続され、かつ、１次電源１３の出力端子は、外部負荷に電力を供給するために外部負荷に対して電気的に接続される。これにより、外部電源に対して電気的に接続される低消費電力待機回路デバイスは、エアーコンディショナーの室内機及び室外機に電力を供給する。
【００２５】
外部負荷には、第１の負荷３と第２の負荷４と第６の負荷１４とＤＣモータ（図示せず）とが含まれる。第１の負荷３は、入力電圧が１４Ｖの負荷であり、例えば、電熱線又は他の追加の機能負荷である。第２の負荷４には、表示パネル上又はメインボード上に設けられている、共に入力電圧が１２Ｖであるステッピングモータの駆動回路及びブザー回路が含まれる。第６の負荷１４には、ステッピングモータが含まれる。
【００２６】
２次電源１１の入力端子は外部電源に対して直接かつ電気的に接続され、かつ、２次電源１１の出力端子は制御回路モジュールに対して電気的に接続されている。制御回路モジュールは、ＭＣＵモジュールと信号受信回路とを備える。ＭＣＵモジュールは、第１制御スイッチ１２のオンとオフとを制御する。ＭＣＵモジュールには、１つのＭＣＵ又は２つのＭＣＵを含めること、すなわち、ＭＣＵモジュールには、１つのメインチップ又は２つのメインチップを含めることができる。信号受信回路は、ＭＣＵモジュールに対して、エアーコンディショナー用の動作信号を伝送するように構成されている。
【００２７】
好ましくは、本実施形態の一つとして、低消費電力待機回路デバイスは、さらに、第２制御スイッチ８を含む。ＭＣＵモジュールは、第３の負荷６と第４の負荷７と第５の負荷１０とを含む。低消費電力待機回路デバイスには、さらに、表示モジュール５が設けられてもよく、表示モジュール５は、２次電源１１の出力端子に対して電気的に接続されている。表示モジュール５は、表示画面又は表示放電管である。
【００２８】
第３の負荷６には、第２ＭＣＵ（すなわち、表示パネルのメインチップ）とリセット回路とが含まれる。第２ＭＣＵは、表示パネル２の負荷の運転を制御する。第４の負荷７は、表示パネル上に配置されており、ここにはエアーコンディショナーが待機中の場合には機能しない入力電圧が５Ｖの他の回路が含まれる。第５の負荷１０には、エアーコンディショナーが待機中の場合に機能せず、かつ、メインボード１上に配置される、第１ＭＣＵ（すなわち、メインボードのメインチップ）と、他の回路とが含まれる。第１ＭＣＵは、メインボード１上の負荷の運転を制御する。信号受信回路は、第２ＭＣＵに電気的に接続され、かつ、第２ＭＣＵにエアーコンディショナー用の動作信号を伝送するように構成されている。信号受信回路は、遠隔操作受信回路及び／又は開閉回路である。これに代えて、信号受信回路は、第３の負荷６に配置してもよい。
【００２９】
第１ＭＣＵは、第２制御スイッチ８及び２次電源１１に、逐次直列に接続される。第２ＭＣＵは、２次電源１１に対して電気的に接続される。第１ＭＣＵ及び第２ＭＣＵは、共に２次電源１１によって電力が供給される。第１ＭＣＵは、第１制御スイッチ１２のオンとオフとを制御する。第２ＭＣＵは、第２制御スイッチ８のオンとオフとを制御する。第１ＭＣＵは、第３制御スイッチのオンとオフとを制御するために、第３制御スイッチに対して電気的に接続される。
【００３０】
１次電源１３、２次電源１１、第１ＭＣＵ、第１制御スイッチ１２及び第３制御スイッチは、メインボード１上に配置されている。第２ＭＣＵ及び第２制御スイッチ８は、表示パネル２上に配置されている。
【００３１】
好ましくは、第１制御スイッチ１２及び第３制御スイッチはリレーであり、第２制御スイッチ８は三極真空管又はリレーである。
【００３２】
好ましくは、実施形態の一つでは、２次電源１１の出力端子は、直列に電圧安定化モジュール９に対して電気的に接続され、かつ、第１ＭＣＵ及び第２ＭＣＵに対して順次電気的に接続されている。電圧安定化モジュール９は、ＩＣ７８０５又はＤＣ−ＤＣモジュールである。
【００３３】
１次電源１３及び２次電源１１は、共にスイッチング電源である。１次電源１３は多重出力を有し、かつ、２次電源１１は単一出力又は多重出力を有する。単一出力は、１種類の出力電圧のみを出力することを意味し、多重出力は、５Ｖ、１２Ｖ、１５Ｖの出力電圧等の数種類の出力電圧を出力することを意味する。好ましくは、１次電源１３は、それぞれ１２Ｖ、１４Ｖ及び１５Ｖの３つの出力電圧を有する。２次電源１１は、１２Ｖの唯一つの出力電圧を有する。
【００３４】
エアーコンディショナーが通常の動作をする場合、１次電源１３及び２次電源１１は、共に動作する。１次電源１３は、３種類の電圧を出力する。１５Ｖの出力電圧はＤＣモータに電力を供給し、１４Ｖの出力電圧は電熱線又は他の追加の機能回路等の他の機能回路に電力を供給し、１２Ｖの出力電圧は表示パネル２上又はメインボード１上に配置されるブザー回路に電力を供給し、かつ、周囲を掃引するためのステッピングモータの駆動回路に電力を供給し、かつ、同様にステッピングモータに電力を供給する。
【００３５】
２次電源１１は１つの出力電圧を有し、出力端子１２Ｖ＿１は第１制御スイッチ１２に電力を供給する。第１制御スイッチ１２は、メインボード１上に配置され、１次電源１３のオンとオフとを制御する。第１制御スイッチ１２は第１ＭＣＵに接続され、かつ、第１ＭＣＵは第１制御スイッチ１２のオンとオフとを制御する。２次電源１１は、表示パネル２上の表示モジュール５及び電圧安定化モジュール９にも電力を供給する。電圧安定化モジュール９は、少なくとも２つの電圧出力を有しており、一方は、第２ＭＣＵと、リセット回路と、信号受信回路とに電力を供給するための＋５Ｖ出力で、他方は、エアーコンディショナーが待機中の場合に機能していないメインボード１上の、第１ＭＣＵと、他の回路とに電力を供給するための電源ＶＣＣ（電圧も＋５Ｖ）である。第２制御スイッチ８は、電源ＶＣＣの回路に電気的に接続され、第２制御スイッチ８は、第２ＭＣＵのピンＶＣＣ＿ＯＮに対して接続される。第２ＭＣＵ（すなわち、表示パネルのメインチップ）は、第２制御スイッチ８のオンとオフとを制御する。エアーコンディショナーが通常の動作をする場合、第２ＭＣＵは第２制御スイッチ８がオンとなるように制御し、それから、＋５Ｖの電源ＶＣＣはスイッチオンを得る（すなわち、ＶＣＣの電圧は、５Ｖに等しい）。
【００３６】
第１ＭＣＵは、第２ＭＣＵに対して通信可能に接続されている。ＴＸＤはデータを伝送するための第２ＭＣＵのシリアルＩＯポートであり、かつ、ＲＸＤはデータを受信するための第２ＭＣＵのシリアルＩＯポートである。
【００３７】
第１の負荷３、第２の負荷４及び第６の負荷１４の接地端子ＧＮＤは、１次電源１３の接地端子（負端子）に対して電気的に接続される。表示モジュール５、電圧安定化モジュール９、第３の負荷６、第４の負荷７及び第５の負荷１０の接地端子ＧＮＤは、２次電源１１の接地端子（負端子）に対して電気的に接続される。
【００３８】
第１ＭＣＵは、第２の負荷４、表示モジュール５、リセット回路及び受信回路に対して結合される。第１ＭＣＵは、第２の負荷４、表示モジュール５、リセット回路及び受信回路の稼働状態を制御する。
【００３９】
ＭＣＵモジュールが、１つのＭＣＵを有する場合、メインボード１及び表示パネル２は、共にそのＭＣＵによって制御される。エアーコンディショナーの稼働手順は起動プロセスを備え、かつ、起動プロセスは以下のステップを備える。
【００４０】
エアーコンディショナー内の低消費電力待機回路デバイスの制御回路モジュールのＭＣＵモジュールが起動信号を受信し又は再通電される場合、ＭＣＵモジュールは、まず、第１制御スイッチ１２がオンとなるように制御し、それから、エアーコンディショナーの第３制御スイッチがオンとなるように制御し、低消費電力待機回路デバイスの１次電源１３と室外機及び室内機の負荷回路とを通電させてエアーコンディショナーを通常の運転状態に移行する。
【００４１】
ＭＣＵモジュールが、１つのＭＣＵを有する場合、エアーコンディショナーの稼働手順は、待機プロセスを備え、かつ、待機プロセスは、以下のステップを備える。
【００４２】
エアーコンディショナーが待機モードに移行する場合、室内機と室外機との間の電気的接続を切断し、かつ、１次電源１３と外部電源との間の電気的接続を切断するために、ＭＣＵモジュールは、まず、第３制御スイッチがオフとなるように制御し、それから、第１制御スイッチ１２がオフとなるように制御する。
【００４３】
ＭＣＵモジュールは、低消費電力モードに移行する、すなわち、ＭＣＵモジュール上のＭＣＵのクロック周波数は、通常の運転状態における予め設定された周波数よりも低くなる。エアーコンディショナーがオフに切り替わる場合、エアーコンディショナーの室外機及び室内機の負荷への通電が停止され、かつ、エアーコンディショナーは待機に移行する。ＭＣＵは、起動信号を受信した場合、低消費電力モードを終了する。
【００４４】
好ましくは、実施形態の一つとして、待機プロセスは、以下のステップを備える。
【００４５】
ＭＣＵモジュールが遮断信号を受信する場合、ＭＣＵモジュールは、まず、室外機をスイッチオフするために、第３制御スイッチがオフとなるように制御し、それから、１次電源１３をスイッチオフするために、第１制御スイッチ１２がオフとなるように制御する。
【００４６】
第１制御スイッチ１２がスイッチオフされた後、第１の予め設定された時間内に、ＭＣＵモジュールが動作信号を受信していたか否かを判定し、受信していた場合にＭＣＵモジュールが低消費電力モードに移行することを禁止し、受信していなかった場合にＭＣＵモジュールは、低消費電力モードに移行する。好ましくは、第１の予め設定された時間は１分である。
【００４７】
ＭＣＵモジュールが、２つのＭＣＵ、すなわち、第１ＭＣＵ及び第２ＭＣＵを含む場合、エアーコンディショナーの稼働手順は、図３に示すような起動プロセスを備える。
【００４８】
起動プロセスは、以下のステップを含む。第２ＭＣＵモジュールが起動信号を受信し又は再通電される場合、第２ＭＣＵモジュールは、第２制御スイッチ８がオンとなるように制御し、第１ＭＣＵを通電させて第１制御スイッチ１２と第３制御スイッチとが逐次オンとなるように制御し、１次電源１３と室外機及び室内機の負荷回路とを通電させてエアーコンディショナーを通常の運転状態に移行する。
【００４９】
ＭＣＵモジュールが、２つのＭＣＵを含む場合、エアーコンディショナーの稼働手順は、図２に示すような待機プロセスを備える。
【００５０】
待機プロセスは、エアーコンディショナーが待機に移行した後、室内機と室外機との間の電気的接続を切断し、かつ、１次電源と外部電源との間の電気的接続を切断するために、第１ＭＣＵは、まず、第３制御スイッチがオフとなるように制御するステップと、それから、第１制御スイッチ１２がオフとなるように制御するステップと、を含む。
【００５１】
第２ＭＣＵは、第２制御スイッチ８がオフとなるように制御し、かつ、第１ＭＣＵと第２ＭＣＵとの間の電気的接続を切断し、そして、ＭＣＵは、低消費電力モードに移行する。
【００５２】
ＭＣＵが低消費電力モードに移行するということは、第２ＭＣＵのクロック周波数が、通常の運転状態における予め設定された周波数よりも低いことを意味する。
【００５３】
好ましくは、実施形態の一つとして、待機プロセスは、以下のステップを備える。
【００５４】
ステップＳ１：第１ＭＣＵモジュールが第２ＭＣＵから送信される遮断信号を受信し、かつ、第２の予め設定された時間内に第２ＭＣＵからの任意の更なる信号を受信していない場合、まず、第１ＭＣＵは、室外機への通電を停止するために第３制御スイッチがオフとなるように制御し、それから、第１ＭＣＵは、１次電源１３への通電を停止するために第１制御スイッチ１２がオフとなるように制御する。
【００５５】
ステップＳ２：第１制御スイッチがスイッチオフされた後、第３の予め設定された時間内に、第２ＭＣＵが動作信号を受信していたか否かを判定し、受信していた場合は、ＭＣＵが低消費電力モードに移行することを禁止し、受信していなかった場合は、第２ＭＣＵは第２制御スイッチ８がオフとなるように制御し、かつ、第２ＭＣＵが低消費電力モードに移行する。
【００５６】
動作信号は、遠隔制御信号、開閉信号又はタッチ信号である。好ましくは、第２の予め設定された時間は５分で、第３の予め設定された時間は１分である。
【００５７】
上記実施形態では、第２ＭＣＵは、２分周周波数技術を適用すること、すなわち、低消費電力モードにおける第２ＭＣＵの周波数は、通常の運転状態で予め設定された周波数の半分とすることができる。第２ＭＣＵは、起動信号を受信する場合、低消費電力モードを終了する。
【００５８】
エアーコンディショナーが待機中の場合、低消費電力待機回路デバイスは、２次電源１１のみによって電力供給される。ピンＶＣＣ＿ＯＮからの信号は、５Ｖの電源ＶＣＣがスイッチオフとなるように制御するので（すなわち、ＶＣＣの電圧が０Ｖに等しい）、メインボードは通電が停止され、低消費電力待機回路デバイスにおける第２ＭＣＵ（表示パネルのメインチップ）、リセット回路及び受信回路のみ電源がオンされる。
【００５９】
第２ＭＣＵが有効な遠隔制御信号、開閉信号若しくはタッチ信号を受信し又は再通電される場合、第２ＭＣＵは、５Ｖの電源ＶＣＣのスイッチがオンとなるように制御するので、第１ＭＣＵは電源がオンされる。通電された第１ＭＣＵは、第１制御スイッチ１２及び第３制御スイッチのスイッチがオンするように制御し、１次電源１３と室外機の電気制御盤との電源がオンされて、エアーコンディショナーは通常の運転となる。
【００６０】
上記実施形態では、低消費電力待機回路デバイスは、エアーコンディショナーに配置されているため、エアーコンディショナーの制御において合理的な電源分配を通じて、駆動回路は１次電源により電力供給され、かつ、表示パネルは、２次電源により電力供給される。エアーコンディショナーが待機に移行する場合、まず、室外機の電源がスイッチオフされ、それから、１次電源がスイッチオフされ、最後に、２つのＭＣＵが適用される場合、メインボード上の電源ＶＣＣが、同様に、スイッチオフされる。２次電源は、表示パネルにのみ電力を供給し、例えば、２次電源は、ほぼゼロワット待機目標（すなわち、待機中のエアーコンディショナーの電力が５０ミリワット未満）を達成するために、表示パネルのメインチップ及び遠隔制御受信回路（すなわち、信号受信回路）にのみ電力を供給する。本開示は、既存のエアーコンディショナー（特にインバータエアーコンディショナー）の待機中の大きな消費電力の技術的問題を解決する。一つのチップが、メインボード上の負荷と表示パネル上の負荷との両方を制御する方式と比較して、２つのメインチップが設けられて、２つのメインチップが、それぞれ、メインボード上の負荷と表示パネル上の負荷とを制御する方式の場合、チップの通信インタフェースを低減し、表示パネルとメインボードとの間に接続されていて、負荷を制御するために用いられる接続配線が省略され、これにより、製造コストを低減させ、生産効率を増加させ、かつ、メインチップの耐干渉能力を向上させることができる。エアーコンディショナーが待機中の場合、第２ＭＣＵ（表示パネル上のメインチップ）の電源のみオンされ、単一のＭＣＵ制御方式と比較すると、通電される素子の数が低減され、エアーコンディショナーの待機中の消費電力がさらに低減される。
【００６１】
上記の実施形態は、本発明の例示のためにのみ、具体的かつ詳細に記載されており、本発明の範囲を限定するものではない。本開示の思想から逸脱することなく、種々の変形及び改良を本発明の範囲内で行えると、当業者は理解すべきである。本発明の範囲は添付の特許請求の範囲に基づく。
【図１】
0006389512.tif 000002
【図２】
0006389512.tif 000003
【図３】
0006389512.tif 000004